(57)【要約】【課題】簡単な操作で容易に貼着可能で、苗育成用容器Ｐの正面側からでも後ろ側からでも園芸品に関する必要な情報を確認可能な苗育成容器用表示片１を提供すること。【解決手段】苗育成用容器Ｐに貼り付けて、帯状の表示片本体２を有し、この表示片本体２は、上記苗育成用容器Ｐに貼り付け可能な貼付け領域部３と、この貼付け領域部３に一体的に連続しているとともに上記情報を表示可能な表示領域部５と、を有し、上記表示領域部５には、上記表示片本体２のその長さ方向にミシン目７を線対称に形成し、上記貼付け領域部３には、上記表示片本体２のその長さ方向に破断線８を線対称に形成し、かつ、上記貼付け領域部３の裏面には粘着層９を有したことを特徴とする。【選択図】図１
2008263857.tif 000002
【特許請求の範囲】
【請求項１】
苗育成用容器に貼り付けて園芸品に関する必要な情報を表示するための苗育成容器用表示片であって、
苗育成用容器に貼り付けて、帯状の表示片本体を有し、
この表示片本体は、前記苗育成用容器に貼り付け可能な貼付け領域部と、この貼付け領域部に一体的に連続しているとともに前記情報を表示可能な表示領域部と、を有し、
前記表示領域部には、前記表示片本体部のその長さ方向にミシン目を線対称に形成し、前記貼付け領域部の表面には、前記表示片本体部のその長さ方向に切断線を線対称に形成し、かつ、前記貼付け領域部の裏面には粘着層を有したことを特徴とする苗育成容器用表示片。
【請求項２】
前記表示領域部には、長さ方向の側端部にエンボス加工を形成したことを特徴とする請求項１記載の苗育成容器用表示片。
【請求項３】
前記表示領域部は、一対の表示部からなることを特徴とする請求項１記載の苗育成容器用表示片。
【請求項４】
前記貼付け領域部は、一対の貼着部からなることを特徴とする請求項１記載の苗育成容器用表示片。
【発明の詳細な説明】
【技術分野】
【０００１】
本発明は苗育成容器用表示片にかかるもので、とくに植木、草花その他の苗育成用容器の胴部に貼着可能な苗育成容器用表示片に関するものである。
【背景技術】
【０００２】
従来の苗育成容器用表示片は、各種の構造のものがあり、たとえば特許文献１のように、その苗育成用容器の胴部に切れ溝を形成しラベルを挿すものがある。しかしながら、このような構成は、ラベルの脚部を苗育成用容器用の胴部に形成した切れ溝に挿す際には、ラベルの脚部の幅と苗育成用容器用の胴部に切れ溝の幅が略同一の長さにしなければならない。また、必ず双方をペアで利用しなければならず、取扱いに不都合がある場合があるという問題がある。
【０００３】
【特許文献１】特開２００４−４９０３２号公報
【発明の開示】
【発明が解決しようとする課題】
【０００４】
本発明は以上のような諸問題にかんがみなされたもので、単純な構成で安価に製造可能な苗育成容器用表示片を提供することを課題とする。
【０００５】
また本発明は、簡単な操作で苗育成用容器に容易に貼着可能である苗育成容器用表示片を提供することを課題とする。
【０００６】
また本発明は、苗育成用容器の正面側からでも後ろ側からでも園芸品に関する必要な情報を確認可能である苗育成容器用表示片を提供することを課題とする。
【０００７】
また本発明は、苗育成用容器の胴部に切れ溝を形成することなく苗育成用容器の胴部から外方に起立した状態で貼着可能な苗育成容器用表示片を提供することを課題とする。
【０００８】
また本発明は、表示片本体にミシン目を形成していながら、容易に折れ曲がりにくく、耐久性を維持可能な苗育成容器用表示片を提供することを課題とする。
【課題を解決するための手段】
【０００９】
すなわち本発明は、帯状の表示片本体の長さ方向におけるミシン目より線対象に重ね合わせ、貼り付け可能な貼付け領域部を苗育成容器の胴部内面側、胴部外面側のそれぞれ適切な位置に貼着することに着目したもので、苗育成用容器に貼り付けて園芸品に関する必要な情報を表示するための苗育成容器用表示片であって、苗育成用容器に貼り付けて、帯状の表示片本体を有し、この表示片本体は、上記苗育成用容器に貼り付け可能な貼付け領域部と、この貼付け領域部に一体的に連続しているとともに上記情報を表示可能な表示領域部と、を有し、上記表示領域部には、上記表示片本体部のその長さ方向にミシン目を線対称に形成し、上記貼付け領域部には、上記表示片本体部のその長さ方向に破断線を線対称に形成し、かつ、上記貼付け領域部の裏面には粘着層を有したことを特徴とする苗育成容器用表示片である。
【００１０】
上記表示領域部には、長さ方向の側端部にエンボス加工を形成し用紙剛度を補強したことを特徴とするものである。
【００１１】
上記表示領域部は、一対の表示部からなることを特徴とするものである。
【００１２】
上記貼付け領域部は、一対の貼付け部からなることを特徴とするものである。
【発明の効果】
【００１３】
本発明による苗育成容器用表示片においては、帯状の表示片本体に形成されているミシン目より一対の表示部の裏面を向かい合わせになるように重ね合わせ、貼付け領域部の裏側にある粘着層を苗育用成容器の胴部から外方に飛び出した状態で貼着を行うことができる。
【発明を実施するための最良の形態】
【００１４】
本発明は、苗育成容器の胴部の外面側と内面側との両側に貼着し、表示片本体の表示領域部を苗育成容器から外方に飛び出すことを形成可能としたので、構成を単純化し、簡単な貼り付け操作を可能とするとともに、コストを低減させることができる苗育成容器用表示片を実現した。
【実施例】
【００１５】
つぎに本発明の第１の実施例による苗育成容器用表示片１を図１ないし図６にもとづき説明する。
図１は、苗育成容器用表示片１の平面図、図２は、図１の裏面図、図３は、図１のＩＩ−ＩＩ線断面図である。苗育成容器用表示片１は、所定の幅および長さを有する矩形状の表示片本体２を有し、この表示片本体２は、苗育成用容器Ｐに貼り付け可能な貼付け領域部３と、この貼付け領域部３に一体的に連続しているとともに、この苗育成用容器Ｐに入れる園芸品に関する必要な情報を表示可能な表示領域部５と、を有する。
【００１６】
表示片本体２は、任意の材料によりこれを単層状態で構成可能であるが、好ましくは、プリンターにより印字が可能で、耐久性および耐水性に優れた耐水紙やフィルム系の合成樹脂材などを使用することができる。
図１の例では、表示片本体２の上方を表示領域部５とし、下方を貼付け領域部３としたものを示しており、表示領域部５には、園芸品の名称や価格その他必要な情報をバーコードその他により表示し、貼付け領域部３の裏面には粘着層があり貼着可能としている。また、表示片本体２の表示領域部５には、その長さ方向にミシン目７を線対称に形成し、貼付け領域部３には、表示片本体２のその長さ方向に破断線８を線対称に形成している。
【００１７】
ミシン目７は、表示領域部５の裏面までカットするミシン目であり、カットとアンカットの比率は３：１とすることで折り曲げる際、好適となる。
【００１８】
表示領域部５は一対の表示部６を有しミシン目７を線対称に右側を表示部６Ａと、左側を表示部６Ｂと、を形成し双方は合同関係にある。この表示領域部５の下方側に一体的に連続してなる貼付け領域部３が形成されている。図２では粘着層９は設けていないが、表示領域部５の裏側全面に又は、一部分に粘着層９を形成してもよい。
【００１９】
貼付け領域部３は一対の貼付け部４を有し破断線を線対称に一方の貼付け部４Ａと、他方の貼付け部４Ｂと、を形成している。貼付け部４Ａ及び貼付け部４Ｂのそれぞれ裏面は粘着層９を形成し苗育成用容器の胴部Ｗに貼着可能である。
【００２０】
破断線８は貼付け領域部３の表面から貼付け領域部３の裏面に形成されている粘着層９に至るまで貫通している破断線である。
【００２１】
表示領域部５と貼付け領域部３との幅方向の大きさの割合は同一となるが、長さ方向における大きさの割合は、苗育成用容器Ｐの大きさ、充填された培土量、表示すべき情報表示量に依存するため、それぞれの長さの割合は任意である。
【００２２】
また、図３で示すように表示領域部５と貼付け領域部３には、長さ方向に一方の端縁側から他方の端縁側まで一直線上にエンボス加工を施している。紙などの一部を浮き彫りにする加工で、裏面を押し上げて浮かす（したがって裏面は凹状態）ことで、表示領域部５と貼付け領域部３との長さ方向の用紙剛度の補強を行っている。すなわち、容易に折れ曲がりにくく、耐久性が維持可能となる。
【００２３】
こうした構成の苗育成容器用表示片１を苗育成用容器Ｐに貼り付ける操作を説明する。図４は、図１の苗育成容器用表示片１を重ね合わす状態を示す斜視図である。図５は重なり合った状態を示す斜視図である。図６は、苗育用成容器の胴部Ｗに苗育成容器用表示片１を貼着した結果、本体表示片２が外方に飛び出した状態を示す斜視図である。
図４は、表示領域部５に有するミシン目７より表示部６Ａと表示部６Ｂとで双方の裏面を重ね合わせることで、表示部６Ａと表示部６Ｂが外方に露出される。同時に、図５に示すように、貼付け領域部３に形成している貼付け部４Ａ又は貼付け部４Ｂのどちらかを外方に少し折り曲げた状態で、苗育成用容器Ｐに貼り付ける。
【００２４】
すなわち、図６に示すように苗育成用容器の鍔部Ｘに貼付け領域部３と表示領域部５の境界部との係合する位置で、貼付け部４Ａの粘着層９と貼付け部４Ｂの粘着層９と、を苗育成用容器Ｐの内周面Ｙ、外周面Ｚにそれぞれ貼着することで、苗育成容器用表示片１は、苗育用成容器の胴部Ｗに切れ溝を形成することなく胴部Ｗから外方に起立した状態で貼着可能となる。
【００２５】
かくして、貼付け部４Ａの粘着層９と貼付け部４Ｂの粘着層９により苗育成用容器の内周面Ｙ、外周面Ｚにそれぞれ貼着することで、表示部６Ａと表示部６Ｂとに（表裏面）情報表示可能で、苗育成用容器Ｐの正面側からでも後ろ側からでも園芸品に関する必要な情報が確認可能になるとともに単純な構成で安価に製造可能であり、取扱いも便利である。さらに、苗育成用容器Ｐの胴部Ｗに切れ溝を形成することなく、苗育成容器表示片１は利用可能である。
【００２６】
つぎに本発明の他の実施例による苗育成容器用表示片３１を図７ないし図８にもとづき説明する。
図７は、苗育成容器用表示片３１の平面図、図８は、同、裏面図である。
苗育成容器用表示片３１は、基本的構成自体は、上述の苗育成容器用表示片１と同様であるが、異なる構成としては、図７および図８に示すように、表示領域部３５の表示部３６Ｄの裏面に粘着層３９を側端部に筋状に形成し、また、貼付け領域部３３の貼付け部３４Ｃと貼付け部３４Ｄとの面積を異なるように形成した。
【００２７】
すなわち表示領域部３５に有するミシン目３７より表示部３６Ｃと表示部３７Ｄとで双方の裏面を重ね合わせ、表示部３６Ｃと表示部３６Ｄとを、より一体化させるため側端部に粘着層３９を設けた。
【００２８】
同時に、図７に示すように、貼付け領域部３３に形成している貼付け部３４Ｃ又は貼付け部３４Ｄのどちらかを外方に少し折り曲げ、苗育成用容器Ｐに貼り付ける際、貼付け面積の大きい貼付け部３４Ｄを外周面Ｚに、貼付け面積の小さい貼付け部３４Ｃを内周面Ｙに貼付けることで、苗育成用容器Ｐ内の上端縁近傍まで充填された培土（図示せず）を有する際にも貼付け面積が小さいため充分貼着可能となる。
【００２９】
こうした構成の苗育成容器用表示片３１を苗育成用容器Ｐに貼着する方法は既述の園芸品用表示片１の場合と同様である。
【００３０】
かくして、園芸品用表示片１（第１の実施例、図１）の場合と同様に、取扱いおよび貼り付け操作が容易であり、また表裏双方に情報表示されるため、正面側からでも後ろ側からでも園芸品に関する必要な情報を確認可能な苗育成容器用表示片３１である。
【００３１】
既述のように、表示領域部５、並びに表示領域部３５には、任意のプリンターにより印字が可能であり、本発明による苗育成容器用表示片１、苗育成容器用表示片３１は、表示片本体２、表示片本体３２が複数枚連続してロール状の形態を採ることや、シート状に連続して折り畳んで積層した形態とすることも可能であり、タグあるいはラベルとしてこれを構成することもできる。
【図面の簡単な説明】
【００３２】
【図１】本発明の第１の実施例による苗育成容器用表示片１の平面図である。
【図２】同、図１の裏面図である。
【図３】同、図１のＩＩ−ＩＩ線断面図（エンボス加工部）である。
【図４】同、苗育成容器用表示片１を重ね合わす状態を示す斜視図である。
【図５】同、苗育成容器用表示片１を重なり合った状態を示す斜視図である。
【図６】同、苗育用成容器の胴部Ｗに苗育成容器用表示片１を貼着した結果、本体表示片が外方に飛び出した状態を示す斜視図である。
【図７】本発明の他の実施例の苗育成容器用表示片３１の平面図である。
【図８】同、裏面図である。
【符号の説明】
【００３３】
１    苗育成容器用表示片（第１の実施例、図１）
２    表示片本体
３    貼付け領域部
４    貼付け部
４Ａ  貼付け部
４Ｂ  貼付け部
５    表示領域部
６    表示部
６Ａ  表示部
６Ｂ  表示部
７    ミシン目
８    破断線
９    粘着層
１０  エンボス加工部
３１  苗育成容器用表示片（他の実施例、図７）
３２  表示片本体
３３  貼付け領域部
３４Ｃ  貼付け部
３４Ｄ  貼付け部
３５  表示領域部
３６Ｃ  表示部
３６Ｄ  表示部
３７  ミシン目
３８  破断線
３９  粘着層
Ｐ    苗育成用容器
Ｗ    苗育成用容器の胴部
Ｘ    苗育成用容器の鍔部
Ｙ    苗育成用容器の内周面
Ｚ    苗育成用容器の外周面
【図１】
2008263857.tif 000003
【図２】
2008263857.tif 000004
【図３】
2008263857.tif 000005
【図４】
2008263857.tif 000006
【図５】
2008263857.tif 000007
【図６】
2008263857.tif 000008
【図７】
2008263857.tif 000009
【図８】
2008263857.tif 000010